(57)【要約】      （修正有）【課題】折り畳み収納可能で且つ組み立てが容易な略円筒形に形成される本体部を備える組立式加熱調理具を提供すること。【解決手段】本体部１が、屈曲回動自在に連結される複数の板状部材４で構成され、各板状部材４は、板状部材４同士の屈曲量を規制し隣接する板状部材４に対する内側への屈曲角度を所定角度に保持する屈曲規制部６を有し、各板状部材４を内側に屈曲させた場合は、各板状部材４の屈曲規制部６が隣接する板状部材４に係合して、屈曲量が規制され隣接し合う板状部材４同士が成す屈曲角度が所定角度に保持されて本体部１が略円筒状に形成され、各板状部材４を外側に屈曲させた場合は、屈曲規制部６が係合せず屈曲量が規制されず本体部１を巻回して巻物状にすることができる組立式加熱調理具。【選択図】図１
2019097763.tif 000002
【特許請求の範囲】
【請求項１】
略円筒状に形成される本体部と、この本体部を支持する脚部と、前記本体部の下部側に配される熱源により調理される食材が載置される食材用載置部とを具備する組立式加熱調理具であって、前記本体部は、複数の金属製の板状部材が回動軸を介して横幅方向に回動自在に連結され、展開時の形状が横長方形状を呈するように構成されており、各板状部材には、該板状部材同士の屈曲量を規制し隣接する板状部材に対する内側への屈曲角度を所定角度に保持する屈曲規制部が設けられていて、各板状部材を内側に屈曲させた場合は、各板状部材の前記屈曲規制部が隣接する板状部材に係合して、屈曲量が規制され隣接し合う板状部材同士が成す屈曲角度が所定角度に保持されて前記本体部が略円筒状に形成され、各板状部材を外側に屈曲させた場合は、前記屈曲規制部が係合せず屈曲量が規制されずこの本体部を巻回して巻物状にすることができるように構成されていることを特徴とする組立式加熱調理具。
【請求項２】
前記板状部材は、左右両側に前記屈曲規制部が設けられていて、隣接する板状部材の夫々に設けられた屈曲規制部同士が当接係止することで板状部材の屈曲量が規制され、この隣接する板状部材同士が成す屈曲角度が所定角度に保持されるように構成されていることを特徴とする請求項１記載の組立式加熱調理具。
【請求項３】
前記屈曲規制部は、前記板状部材の側縁部に沿って縦方向に延設される板状片に形成され、前記板状部材の前記側縁部から外側に向かって突出状態に設けられていることを特徴とする請求項２記載の組立式加熱調理具。
【請求項４】
前記屈曲規制部は、前記板状部材と成す角度が９０°以上の所定角度となるようにして、前記板状部材の前記側縁部から外側に向かって突出状態に設けられていて、隣接する板状部材の屈曲規制部と面接触することで屈曲が規制され、この隣接する板状部材との成す屈曲角度が所定角度に保持されるように構成されていることを特徴とする請求項３記載の組立式加熱調理具。
【請求項５】
前記本体部を横長方形状の展開状態にした際の少なくとも両端部に位置する板状部材以外の板状部材は、左右両側に前記回動軸が挿通される軸挿通孔を有する連結部が設けられていて、この板状部材の夫々の前記連結部同士が前記回動軸で枢着連結されていることを特徴とする請求項１〜４のいずれか１項に記載の組立式加熱調理具。
【請求項６】
複数の前記板状部材のうち少なくとも三つの板状部材には、前記脚部が着脱自在または折り畳み収納自在に取り付けられる脚部取付部が設けられていることを特徴とする請求項１〜５のいずれか１項に記載の組立式加熱調理具。
【請求項７】
前記本体部には、複数の支持部が設けられていて、略円筒状に組み立て形成された際にこの複数の支持部で前記食材用載置部を支持することができるように構成されていて、前記食材用載置部は、この複数の支持部により前記本体部に着脱自在に設けられることを特徴とする請求項１〜６のいずれか１項に記載の組立式加熱調理具。
【請求項８】
熱源を載置する熱源用載置部を具備し、この熱源用載置部は、前記支持部により支持され本体部の下部側に組み付けられることを特徴とする請求項７記載の組立式加熱調理具。
【請求項９】
略円筒状に形成された本体部の上部開口部を閉塞する蓋部を具備することを特徴とする請求項１〜８のいずれか１項に記載の組立式加熱調理具。
【請求項１０】
略円筒状に形成された本体部を保形する本体部保形手段を具備し、前記本体部の端部同士の連結が解除されても、この本体部保形手段によって本体部が保形されるように構成されていることを特徴とする請求項１〜９のいずれか１項に記載の組立式加熱調理具。
【発明の詳細な説明】
【技術分野】
【０００１】
本発明は、キャンプ等のアウトドアレジャーでの使用に適する組立式加熱調理具に関するものである。
【背景技術】
【０００２】
キャンプ等で使用するバーベキューコンロ（グリル）等の加熱調理具は、持ち運びし易いコンパクトな収納形態となる組立式のものが一般的であり、例えば、本体部を支持する脚部が着脱するタイプや、本体部を折り畳み収納できるタイプ等、様々なものがある。
【０００３】
この本体部を折り畳み収納できるタイプのものとしては、例えば特許文献１，２に示すようなものがある。
【０００４】
この特許文献１，２に示すものは、いずれも本体部の周面部が、正面板、背面板および二枚の側面板が夫々枢着連結されて平面視方形状の筒状（角筒）に形成され、側面板が、同じ大きさの二枚の板を蝶番で屈曲自在に連結した構成とされ、この側面板を内側に折り畳むことで、本体部を、方形箱状（角筒状）の使用形態から平板状（扁平状）の収納形態にすることができるように構成されている。
【先行技術文献】
【特許文献】
【０００５】
【特許文献１】特開２０１６−１７６６１号公報
【特許文献２】実開平５−８７４０１号公報
【発明の概要】
【発明が解決しようとする課題】
【０００６】
従来の本体部を折り畳み収納できるタイプのものは、その折り畳み構造を容易に実現可能な点と、組み立て、折り畳み収納のいずれの操作も容易である点から、その本体部の形状が上述した特許文献に示すもののように、正面板、背面板および二枚の側面板で形成される方形箱状となっている。
【０００７】
すなわち、言い換えると、本体部の形状が略円筒形を呈するような平面視多角形状に形成する場合、この本体部を形成する板状部材の枚数が多くなってしまうが、この本体部を形成する板状部材の枚数が多くなると、上述したような折り畳み構造とすることが困難になり、また、別の折り畳み構造も実現困難となると共に、多くの板状部材を位置決めして所定の形状に形成（組み立て）しこれを保形することも容易でなくなることから、従来の折り畳み収納タイプの本体部は、その形状が特許文献に示すような方形箱状にほぼ限られてしまっている。
【０００８】
しかしながら、このバーベキューコンロ（グリル）を囲んで調理しながら食事をする場合、バーベキューコンロ（グリル）の形状は、方形状（四角形）よりも円形のほうが使い勝手が良いと思われるが、従来、上述したような観点から、本願出願人の知る限り、本体部が円筒状（略円筒状）のバーベキューコンロ（グリル）において、この本体部が折り畳み収納できるタイプのものは提案されていない。
【０００９】
本発明は、上述のような現状に鑑みなされたもので、折り畳み収納可能で且つ組み立てが容易な略円筒形に形成される本体部を備える組立式加熱調理具を提供することを目的とする。
【課題を解決するための手段】
【００１０】
添付図面を参照して本発明の要旨を説明する。
【００１１】
略円筒状に形成される本体部１と、この本体部１を支持する脚部２と、前記本体部１の下部側に配される熱源により調理される食材が載置される食材用載置部３とを具備する組立式加熱調理具であって、前記本体部１は、複数の金属製の板状部材４が回動軸５を介して横幅方向に回動自在に連結され、展開時の形状が横長方形状を呈するように構成されており、各板状部材４には、該板状部材４同士の屈曲量を規制し隣接する板状部材４に対する内側への屈曲角度を所定角度に保持する屈曲規制部６が設けられていて、各板状部材４を内側に屈曲させた場合は、各板状部材４の前記屈曲規制部６が隣接する板状部材４に係合して、屈曲量が規制され隣接し合う板状部材４同士が成す屈曲角度が所定角度に保持されて前記本体部１が略円筒状に形成され、各板状部材４を外側に屈曲させた場合は、前記屈曲規制部６が係合せず屈曲量が規制されずこの本体部１を巻回して巻物状にすることができるように構成されていることを特徴とする組立式加熱調理具に係るものである。
【００１２】
また、前記板状部材４は、左右両側に前記屈曲規制部６が設けられていて、隣接する板状部材４の夫々に設けられた屈曲規制部６同士が当接係止することで板状部材４の屈曲量が規制され、この隣接する板状部材４同士が成す屈曲角度が所定角度に保持されるように構成されていることを特徴とする請求項１記載の組立式加熱調理具に係るものである。
【００１３】
また、前記屈曲規制部６は、前記板状部材４の側縁部に沿って縦方向に延設される板状片に形成され、前記板状部材４の前記側縁部から外側に向かって突出状態に設けられていることを特徴とする請求項２記載の組立式加熱調理具に係るものである。
【００１４】
また、前記屈曲規制部６は、前記板状部材４と成す角度が９０°以上の所定角度となるようにして、前記板状部材４の前記側縁部から外側に向かって突出状態に設けられていて、隣接する板状部材４の屈曲規制部６と面接触することで屈曲が規制され、この隣接する板状部材４との成す屈曲角度が所定角度に保持されるように構成されていることを特徴とする請求項３記載の組立式加熱調理具に係るものである。
【００１５】
また、前記本体部１を横長方形状の展開状態にした際の少なくとも両端部に位置する板状部材４以外の板状部材４は、左右両側に前記回動軸５が挿通される軸挿通孔７Ａを有する連結部７が設けられていて、この板状部材４の夫々の前記連結部７同士が前記回動軸５で枢着連結されていることを特徴とする請求項１〜４のいずれか１項に記載の組立式加熱調理具に係るものである。
【００１６】
また、複数の前記板状部材４のうち少なくとも三つの板状部材４には、前記脚部２が着脱自在または折り畳み収納自在に取り付けられる脚部取付部８が設けられていることを特徴とする請求項１〜５のいずれか１項に記載の組立式加熱調理具に係るものである。
【００１７】
また、前記本体部１には、複数の支持部９が設けられていて、略円筒状に組み立て形成された際にこの複数の支持部９で前記食材用載置部３を支持することができるように構成されていて、前記食材用載置部３は、この複数の支持部９により前記本体部１に着脱自在に設けられることを特徴とする請求項１〜６のいずれか１項に記載の組立式加熱調理具に係るものである。
【００１８】
また、熱源を載置する熱源用載置部10を具備し、この熱源用載置部10は、前記支持部９により支持され本体部１の下部側に組み付けられることを特徴とする請求項７記載の組立式加熱調理具に係るものである。
【００１９】
また、略円筒状に形成された本体部１の上部開口部を閉塞する蓋部11を具備することを特徴とする請求項１〜８のいずれか１項に記載の組立式加熱調理具に係るものである。
【００２０】
また、略円筒状に形成された本体部１を保形する本体部保形手段12を具備し、前記本体部１の端部同士の連結が解除されても、この本体部保形手段12によって本体部１が保形されるように構成されていることを特徴とする請求項１〜９のいずれか１項に記載の組立式加熱調理具に係るものである。
【発明の効果】
【００２１】
本発明は上述のように構成したから、折り畳み収納可能で且つ組み立てが容易な略円筒形に形成される本体部を備える組立式加熱調理具となる。
【図面の簡単な説明】
【００２２】
【図１】本実施例を示す斜視図である。
【図２】本実施例を示す分解斜視図である。
【図３】本実施例を示す説明断面図である。
【図４】本実施例の展開状態の本体部を示す図であり、（ａ）は正面（外側面）側から見た図であり、（ｂ）は背面（内側面）から見た図である。
【図５】本実施例の本体部を示す説明底面図である。
【図６】本実施例の板状部材（非連結状態）を示す斜視図である。
【図７】本実施例の板状部材（連結状態）を示す斜視図である。
【図８】本実施例の板状部材の屈曲操作状態を示す説明平面図であり、（ａ）は展開状態（非屈曲操作状態）を示す図であり、（ｂ）は内側に屈曲操作した状態を示す図であり、（ｃ）は外側に屈曲操作した状態を示す図である。
【図９】本実施例の連結保持具係止部が設けられる板状部材を示す斜視図である。
【図１０】本実施例の本体部を筒状に組み立てた状態を示す斜視図である。
【図１１】本実施例の本体部を筒状に組み立てた状態を示す説明平面図である
【図１２】本実施例の本体部を筒状に組み立てた状態において、連結保持具と連結保持具係止部の係止状態を解除し、開閉扉部を開き操作した状態を示す説明平面図である。
【図１３】本実施例の脚部を脚部取付部に取り付ける状態を示す説明斜視図である。
【図１４】本実施例の本体部の収納状態（巻物状にした状態）を示す斜視図である。
【図１５】本実施例の本体部の収納状態（巻物状にした状態）を示す側面図である。
【図１６】本実施例の使用状態を示す図であり、（ａ）はバーベキューグリルとして使用している状態を示す図であり、（ｂ）はオーブンとして使用している状態を示す図である。
【発明を実施するための形態】
【００２３】
好適と考える本発明の実施形態を、図面に基づいて本発明の作用を示して簡単に説明する。
【００２４】
本発明の本体部１は、複数の金属製の板状部材４が回動軸５を介して横幅方向に回動自在に連結され、展開時の形状が横長方形状を呈するように構成されているから、使用時に組み立てる際は、この本体部１を形成する各板状部材４を夫々隣接する板状部材４に対して内側に屈曲操作することで所定の筒形状に形成することができ、また、収納時は、この組み立て時の屈曲操作方向と反対側に屈曲操作することで巻回して渦巻状にすることができ、コンパクトな収納形態にすることができる。
【００２５】
具体的には、本発明は、展開状態の横長方形状の本体部１の各板状部材４を、隣接する板状部材４に対して内側に屈曲させると、板状部材４は所定の屈曲角度に屈曲した時点で屈曲規制部６により屈曲不能になり、隣接する板状部材４に対して所定角度の屈曲状態になる。
【００２６】
より具体的には、本発明は、板状部材４を隣接する板状部材４に対して内側に屈曲操作すると、屈曲規制部６が隣接する板状部材４に接近し所定量屈曲すると隣接する板状部材４に当接し、この屈曲規制部６が隣接する板状部材４に当接係止することで屈曲不能になり、隣接する板状部材４に対して所定角度で屈曲した状態になる。
【００２７】
すなわち、本発明は、板状部材４を隣接する板状部材４に対して一々角度を見ながら屈曲操作して隣接する板状部材４に対して所定角度となるように屈曲操作するのではなく、単に板状部材４を隣接する板状部材４に対して屈曲操作不能になるまで内側に向かって屈曲操作するだけで、板状部材４が隣接する板状部材４に対して所定の屈曲角度に屈曲され、各板状部材４が夫々同様の屈曲操作により所定角度に屈曲されることで、各板状部材４が隣接する板状部材４に対して所定角度の屈曲状態となり、この各板状部材４が夫々内側方向に所定角度で屈曲することで展開時に両端部に位置する各板状部材４の端部同士が連設状態となって本体部１が略円筒状に形成される。
【００２８】
このように、本発明は、本体部１を内側方向に屈曲操作するだけの簡易な操作で容易にこの本体部１を使用形態となる略円筒状に形成することができるので、組立て容易な使い勝手の良い組立式加熱調理具となる。
【００２９】
また、本発明は、この組み立て時の屈曲方向と反対方向の外側に屈曲操作した場合は、屈曲規制部６が機能しない（隣接する板状部材４と干渉しない）ので、各板状部材４をこの外側方向に対しては屈曲量が規制されることなく自在に屈曲回動させることができ、これにより本体部１を渦巻状に巻回してコンパクトな形態にすることができ、収納時に嵩張らず持ち運びが容易になる。
【００３０】
このように、本発明は、折り畳み収納可能で且つ組み立てが容易な略円筒形に形成される本体部１を備える実用性に優れた画期的な組立式加熱調理具となる。
【実施例】
【００３１】
本発明の具体的な実施例について図面に基づいて説明する。
【００３２】
本実施例は、略円筒状に形成される本体部１と、この本体部１を支持する脚部２と、前記本体部１の下部側に配される熱源により調理される食材が載置される食材用載置部３とを具備する組立式加熱調理具である。
【００３３】
具体的には、本実施例は、前記本体部１と、前記脚部２と、前記食材用載置部３に加え、略円筒状に形成される本体部１の上部開口部を開閉自在に閉塞する蓋部11と、略円筒状に形成される本体部１の下部開口部を閉塞する熱源（木炭等）を載置する熱源用載置部10を具備し、例えば、キャンプ等のアウトドアレジャーに適したバーベキューグリルとオーブンの２タイプの調理具として使用することができるように構成される組立式加熱調理具である。
【００３４】
以下、本実施例に係る構成各部について詳述する。
【００３５】
本実施例の本体部１は、複数の金属製の板状部材４が回動軸５を介して横幅方向に回動自在に連結され、展開形状が横長方形状を呈する形状に形成されている。
【００３６】
また、この本体部１を形成する各板状部材４には、夫々、隣接する板状部材４対する内側方向への屈曲移動量を規制し、この隣接する板状部材４に対する内側への屈曲角度を所定角度に保持することができる屈曲規制部６が設けられていて、本実施例の本体部１は、各板状部材４を隣接する板状部材４に対して内側に屈曲させた場合は、各板状部材４に設けられている屈曲規制部６が隣接する板状部材４に係合（当接）して屈曲移動量が規制され（これ以上屈曲移動することができない状態になり）、隣接し合う板状部材４同士が成す屈曲角度が所定角度に保持されてこの本体部１が略円筒状に形成されるように構成され、また、各板状部材４を隣接する板状部材４に対して外側に屈曲させた場合は、各板状部材４に設けられた屈曲規制部６が隣接する板状部材４に係合せず屈曲量が規制されず屈曲操作自在となって、この本体部１を巻物状に巻回した形状にすることができるように構成されている。
【００３７】
すなわち、本実施例の本体部１は、横長方形状の展開状態から各板状部材４を内側に屈曲操作することでこの本体部１を使用形態となる略円筒状に形成することができ、この屈曲操作と反対側、すなわち、外側に屈曲操作することでこの本体部１を収納形態となる巻物状に形成することができるように構成されている。
【００３８】
具体的には、屈曲規制部６は、板状部材４の両側縁部に夫々設けられていて、この側縁部に沿って縦方向に延設される縦長板状片に形成され、この側縁部から外側に向かって突出状態に設けられている。
【００３９】
より具体的には、本実施例の屈曲規制部６は、板状部材４と成す角度が９０°以上の所定角度となるようにして、板状部材４の側縁部から外側に向かって突出状態に設けられていて、隣接する他の板状部材４に設けられる屈曲規制部６と面接触するように構成されている。
【００４０】
更に具体的に説明すると、本実施例の屈曲規制部６は、板状部材４の側縁部を外側に向かって所定角度に折曲して（本実施例では板状部材４の板面との成す角度が約１０５°となるように折曲して）形成されていて、板状部材４と一体形成されている。
【００４１】
また、本実施例の板状部材４には、夫々、連結部７が設けられていて、各板状部材４は、この連結部７を介して屈曲回動自在に連結されている。
【００４２】
具体的には、本実施例の連結部７は、板状部材４の左右両端部に夫々設けられており、より具体的には、板状部材４の側縁部に設けられた屈曲規制部６の側端部に設けられている。本実施例では、この連結部７も屈曲規制部６と同様、板状部材４を折曲して形成されるものであり、すなわち、本実施例は、所定形状に形成される板状部材４の両端部を外側に所定角度折曲することで屈曲規制部６が形成され、更にこの屈曲規制部６の側端部を所定形状に折曲することで連結部７が形成され、板状部材４に屈曲規制部６と連結部７とが一体形成される構成とされている。
【００４３】
本実施例の連結部７には、回動軸５が挿通される軸挿通孔７Ａが形成されていて、本実施例は、隣接し合う板状部材４の夫々の連結部７を、軸挿通孔７Ａが連通状態となるように連結係合し、連通状態となった夫々の連結部７の軸挿通孔７Ａに回動軸５、具体的には、リベット軸５を挿通配設して、板状部材４同士がこのリベット軸５を軸として屈曲回動自在に連結される構成とされている。
【００４４】
尚、本実施例の連結部７は、図示するように、一箇所だけ軸挿通孔７Ａではなく、回動軸５（リベット軸５）の代わりとなる板状軸部５Ａが設けられていて、連結時にこの板状軸部５Ａを他方の連結部７の軸挿通孔７Ａに挿入することで、容易に位置決めができると共に、取り付け時に抜け止め処理が必要なリベット軸５の取り付け本数を低減して作業工数を軽減することができるように構成されている。
【００４５】
本実施例の本体部１について、より詳細に説明すると、本実施例の本体部１は、縦長状に形成され板面に凸条の補強リブ17が形成される十二枚の板状部材４からなり、屈曲操作により組み立てることで平面視十二角形の筒状体（略円筒体）に形成され、本体部１の一側端部に配置される板状部材４に設けられる連結保持具13を、他側端部に配置される板状部材４に設けられる連結保持具係止部14に係止させることで、この筒状形態が保持（保形）される構成とされている。
【００４６】
また、本実施例の本体部１は、この連結保持具13と連結保持具係止部14との係止状態を解除し、連結保持具13が設けられる板状部材４及びこれと連続する二枚の板状部材４の計三枚の板状部材４が、この本体部１の開閉扉部１Ａとなる構成とされ、この三枚の板状部材４で形成される開閉扉部１Ａの開き操作により、本体正面開口部１Ｂが形成され、この本体正面開口部１Ｂを介して本体部１内に食材や熱源となる木炭等の出し入れを行うことができるように構成されている。
【００４７】
また、本実施例の本体部１は、この連結保持具13と連結保持具係止部14との係止状態を解除しても、本体部１の筒状形態を保持する本体部保形手段12を有する構成とされている。
【００４８】
具体的には、本実施例の本体部保形手段12は、線材12（本実施例では金属製ワイヤーを採用）であり、この線材12で、連結保持具13との係止状態が解除される連結保持具係止部14が設けられる板状部材４と、本体正面開口部１Ｂの基端部と連結される板状部材４とを引張り付勢状態で連結することで、連結保持具13と連結保持具係止部14との係止状態が解除されても、本体正面開口部１Ｂを形成する三枚の板状部材４を除く残りの九枚の板状部材４で本体部１が保形されるように構成されている。
【００４９】
また、本実施例の本体部１は、十二枚の板状部材４のうち少なくとも三枚の板状部材４には、本体部１を支持する脚部２が着脱自在折に取り付けられる脚部取付部８が設けられており、具体的には、所定位置に配される三枚の板状部材４に、この脚部取付部８が設けられていて、本実施例は、これら板状部材４の脚部取付部８に取り付けられる三本の脚部２で本体部１が支持される構成とされている。
【００５０】
尚、この脚部取付部８に着脱自在に取り付けられる本実施例の脚部２は、図示するように、Ｕ字状またはＶ字状に形成される弾性を有する金属線材からなる構成とされ、押圧操作により対向する線材の間隔を狭めて、脚部取付部８にセットし、押圧操作を解除して線材間隔が広がることで、脚部２の先端部に設けられる脚部係止部２Ａが脚部取付部８に嵌挿されて、脚部取付部８に取り付けられる構成とされている。
【００５１】
また、同じくこれら十二枚の板状部材４のうち少なくとも三枚の板状部材４には、本体部１内に配置される食材を載置する網状に形成される食材用載置部３及び木炭等の熱源を載置するトレー状に形成される熱源用載置部10を支持する支持部９が取り付けられており、具体的には、所定位置に配される三枚の板状部材４（本実施例では、前述した脚部取付部８が設けられる三枚の板状部材４）に、この支持部９が設けられていて、本実施例は、この板状部材４に設けられる三体の支持部９で本体部１に設けられる食材用載置部３及び熱源用載置部10が着脱自在に支持される構成とされている。
【００５２】
より具体的には、本実施例の支持部９は、図示するように、上下方向に複数のフック部９Ａを有する構成とされていて、食材用載置部３及び熱源用載置部10は、このフック部９Ａに支持されて本体部１内の所望の高さ位置にセットされる構成とされている。
【００５３】
更に具体的には、本実施例の食材用載置部３及び熱源用載置部10は、夫々、図示するように、周縁部にこのフック部９Ａに被嵌する被嵌部３Ａ，10Ａが設けられていて、食材用載置部３は被嵌係合部３Ａを、熱源用載置部10は被嵌係合部10Ａを夫々所望の高さ位置のフック部９Ａに被嵌させることで、本体部１内の所望の高さ位置にセットされる構成とされている。
【００５４】
また、このように構成される本体部１の上部開口部を閉塞する蓋部11は、開口度調整自在に構成される排気口部15と、取手部16とを有し、本体部１の上部開口部に着脱自在に設けられる構成とされている。
【００５５】
以上のように構成される本実施例の作用効果について以下に説明する。
【００５６】
まず、本実施例の組み立て方について説明する。
【００５７】
本実施例を組み立てる際は、まず、収納状態の巻物状に巻回されている本体部１を展開し、各板状部材４を、夫々の板状部材４に設けられる屈曲規制部６同士が当接し合うように内側に屈曲操作し、本体部１を略円筒状の平面視正十二角形の筒状体に形成する。
【００５８】
次いで、この筒状に形成した本体部１の一側端部に設けられる連結保持具13を他側端部に設けられる連結保持具係止部14に係止すると共に、本体部保形手段12である線材12を所定の板状部材４間に架設しこの板状部材４同士を引張り付勢連結することで、各板状部材４の屈曲規制部６同士の面接状態が保持され本体部１が保形され、本体部１の組み立てが完了する。
【００５９】
次いで、この筒状に組み立てられた本体部１に脚部２を取り付ける。脚部２の取り付けは、前述のとおり、押圧操作により対向する線材の間隔を狭めて、脚部取付部８にセットし、押圧操作を解除して線材間隔を広げ、脚部２の先端部に設けられる脚部係止部２Ａを脚部取付部８の脚部係止孔８Ａに嵌挿させることで、脚部２を本体部１の脚部取付部８に取り付けることができる。
【００６０】
次いで、食材用載置部３及び熱源用載置部10を本体部１にセットする。熱源用載置部10は本体部１の下部（底部）にセットされるよう、支持部９の最下段のフック部９Ａに被嵌係合部10Ａを被嵌させて取り付ける。
【００６１】
また、食材用載置部３は、使用目的により、そのセット位置を調整する。例えば、バーベキューグリルとして使用する場合は、支持部９の最上段のフック部９Ａに被嵌係合部３Ａを被嵌させて取り付け、また、オーブンとして使用する場合は、支持部９の中段付近のフック部９Ａに被嵌係合部３Ａを被嵌させて取り付ける。
【００６２】
以上により、本実施例の組み立てが完了する。尚、上記組み立て手順は一例に過ぎず、脚部２、食材用載置部３、熱源用載置部10の取り付け順は、入れ替え可能であり、また、展開状態の本体部１に予め脚部２を取り付け、この脚部２が取り付けられた状態で本体部１を組み立てても良い。
【００６３】
このように、本実施例は、本体部１を内側方向に屈曲操作するだけの簡易な操作で容易にこの本体部１を使用形態となる略円筒状に形成することができるので、組み立て容易な使い勝手の良い組立式加熱調理具となる。
【００６４】
また、本実施例は、この組み立て時の屈曲方向と反対方向の外側に屈曲操作した場合は、屈曲規制部６が機能しない（隣接する板状部材４と干渉しない）ので、各板状部材４をこの外側方向に対しては屈曲量が規制されることなく自在に屈曲回動させることができ、これにより本体部１を渦巻状に巻回してコンパクトな形態にすることができ、収納時に嵩張らず持ち運びが容易になる。
【００６５】
このように、本実施例、折り畳み収納可能で且つ組み立てが容易な略円筒形に形成される本体部１を備える実用性に優れた画期的な組立式加熱調理具となる。
【００６６】
尚、本発明は、本実施例に限られるものではなく、各構成要件の具体的構成は適宜設計し得るものである。
【符号の説明】
【００６７】
１  本体部
２  脚部
３  食材用載置部
４  板状部材
５  回動軸
６  屈曲規制部
７  連結部
７Ａ  軸挿通孔
８  脚部取付部
９  支持部
10  熱源用載置部
11  蓋部
12  本体部保形手段
【図１】
2019097763.tif 000003
【図２】
2019097763.tif 000004
【図３】
2019097763.tif 000005
【図４】
2019097763.tif 000006
【図５】
2019097763.tif 000007
【図６】
2019097763.tif 000008
【図７】
2019097763.tif 000009
【図８】
2019097763.tif 000010
【図９】
2019097763.tif 000011
【図１０】
2019097763.tif 000012
【図１１】
2019097763.tif 000013
【図１２】
2019097763.tif 000014
【図１３】
2019097763.tif 000015
【図１４】
2019097763.tif 000016
【図１５】
2019097763.tif 000017
【図１６】
2019097763.tif 000018